【誤訳訂正書】
【提出日】平成29年6月7日(2017.6.7)
【誤訳訂正１】
【訂正対象書類名】特許請求の範囲
【訂正対象項目名】全文
【訂正方法】変更
【訂正の内容】
【特許請求の範囲】
【請求項１】
複数のサブセンサーを含む指紋認証センサー、指紋認証回路、オールインワンスイッチ、及び、タッチボタン回路を備え、
前記複数のサブセンサーは、それぞれ前記指紋認証回路に接続されるとともに、それぞれ前記オールインワンスイッチを介して前記タッチボタン回路に接続され、
前記指紋認証センサーは、前記オールインワンスイッチがオフされると、前記複数のサブセンサーでの検出により生成される指紋信号をそれぞれ前記指紋認証回路に伝送し、前記オールインワンスイッチがオンされると、前記オールインワンスイッチを介して前記複数のサブセンサーでの検出により生成される指紋信号を合併してタッチ信号として前記タッチボタン回路に伝送するように構成され、これにより、前記指紋認証センサーが指紋認証機能及びタッチボタンの機能を兼用し、
前記指紋認証回路は、前記複数のサブセンサーでの検出により生成される指紋信号を処理するように構成され、
前記タッチボタン回路は、合併して得られたタッチ信号によってタッチ操作が生成されるかを判断するように構成されることを特徴とする、
タッチボタン及び指紋認証を実現する装置。
【請求項２】
前記オールインワンスイッチは、端末機器のホストの命令によってオン・オフするように構成されることを特徴とする、
請求項１に記載のタッチボタン及び指紋認証を実現する装置。
【請求項３】
前記複数のサブセンサーは、ドットマトリクス状、又は長方形のマトリックス状に配列されることを特徴とする、
請求項１に記載のタッチボタン及び指紋認証を実現する装置。
【請求項４】
前記指紋認証回路は、
前記複数のサブセンサーでの検出により生成される指紋信号をデジタル信号に変換し、前記デジタル信号を端末機器のホストに伝送するように構成される信号処理サブモジュールを備えることを特徴とする、
請求項１に記載のタッチボタン及び指紋認証を実現する装置。
【請求項５】
前記指紋認証回路は、
前記複数のサブセンサーでの検出により生成される信号によって指紋画像を生成し、前記指紋画像を端末機器のホストに伝送するように構成される画像生成サブモジュールを備えることを特徴とする、
請求項１に記載のタッチボタン及び指紋認証を実現する装置。
【請求項６】
前記指紋認証回路は、
前記複数のサブセンサーでの検出により生成される指紋信号によって指紋画像を生成し、生成された指紋画像をサンプル画像と比較し、比較結果を端末機器のホストに伝送するように構成される比較サブモジュールを備えることを特徴とする、
請求項１に記載のタッチボタン及び指紋認証を実現する装置。
【請求項７】
前記タッチボタン回路は、
合併して得られたタッチ信号によってタッチ操作が生成されるかを判断し、判断結果を端末機器のホストに伝送するように構成される判断サブモジュールを備えることを特徴とする、
請求項１に記載のタッチボタン及び指紋認証を実現する装置。
【請求項８】
請求項１乃至請求項７のうちいずれか１項に記載のタッチボタン及び指紋認証を実現する装置を備える、
端末機器。
【請求項９】
オールインワンスイッチと複数のサブセンサーを含む指紋認証センサーとを備える端末機器に適用されるタッチボタン及び指紋認証を実現する方法において、前記方法は、
前記端末機器のホストの命令によって前記オールインワンスイッチをオン・オフするステップと、
指紋認証を実現するように、前記オールインワンスイッチがオフされると、前記指紋認証センサーに備えられる前記複数のサブセンサーでの検出により生成される指紋信号を処理するステップと、
前記オールインワンスイッチがオンされると、前記オールインワンスイッチを介して前記複数のサブセンサーでの検出により生成される指紋信号を合併してタッチ信号とし、合併して得られたタッチ信号によってタッチ操作が生成されるかを判断するステップと、を含み、
前記指紋認証センサーが指紋認証機能及びタッチボタンの機能を兼用することを特徴とする、
タッチボタン及び指紋認証を実現する方法。
【請求項１０】
前記複数のサブセンサーは、ドットマトリクス状、又は長方形のマトリックス状に配列されることを特徴とする、
請求項９に記載のタッチボタン及び指紋認証を実現する方法。
【請求項１１】
前記複数のサブセンサーでの検出により生成される指紋信号を処理するステップは、
前記複数のサブセンサーでの検出により生成される指紋信号をデジタル信号に変換し、前記デジタル信号を端末機器のホストに伝送するステップを含むことを特徴とする、
請求項９に記載のタッチボタン及び指紋認証を実現する方法。
【請求項１２】
前記複数のサブセンサーでの検出により生成される指紋信号を処理するステップは、
前記複数のサブセンサーでの検出により生成される指紋信号によって指紋画像を生成し、前記指紋画像を端末機器のホストに伝送するステップを含むことを特徴とする、
請求項９に記載のタッチボタン及び指紋認証を実現する方法。
【請求項１３】
前記複数のサブセンサーでの検出により生成される指紋信号を処理するステップは、
前記複数のサブセンサーでの検出により生成される指紋信号によって指紋画像を生成し、生成される指紋画像をサンプル画像と比較し、比較結果を端末機器のホストに伝送するステップを含むことを特徴とする、
請求項９に記載のタッチボタン及び指紋認証を実現する方法。
【請求項１４】
前記合併して得られたタッチ信号によってタッチ操作を生成するかを判断するステップは、
前記合併して得られたタッチ信号によってタッチ操作が生成されるかを判断し、判断結果を端末機器のホストに伝送するステップを含むことを特徴とする、
請求項９に記載のタッチボタン及び指紋認証を実現する方法。
【請求項１５】
プロセッサーと、
前記プロセッサーによって実行可能な命令を記憶するメモリと、を備え、
前記プロセッサーは、
端末機器のホストの命令によってオールインワンスイッチをオン・オフし、
指紋認証を実現するように、前記オールインワンスイッチがオフされると、指紋認証センサーに備えられる複数のサブセンサーでの検出により生成される指紋信号を処理し、
前記オールインワンスイッチがオンされると、前記オールインワンスイッチを介して前記複数のサブセンサーでの検出により生成される指紋信号を合併してタッチ信号とし、合併して得られたタッチ信号によってタッチ操作が生成されるかを判断するように構成され、
前記指紋認証センサーが指紋認証機能及びタッチボタンの機能を兼用することを特徴とする、
タッチボタン及び指紋認証を実現する装置。
【請求項１６】
プロセッサーに実行されることにより、請求項９−１４のいずれか１項に記載のタッチボタン及び指紋認証を実現する方法を実現する、コンピュータ読取可能な記録媒体に記録されたプログラム。
【請求項１７】
請求項１６に記載のプログラムが記録されたコンピュータ読取可能な記録媒体。
【誤訳訂正２】
【訂正対象書類名】明細書
【訂正対象項目名】０００６
【訂正方法】変更
【訂正の内容】
【０００６】
本発明の第１の態様によれば、タッチボタン及び指紋認証を実現する装置が提供され、前記装置は、
複数のサブセンサーを含む指紋認証センサー、指紋認証回路、オールインワン（ａｌｌ−ｉｎ−ｏｎｅ）スイッチ、及びタッチボタン回路を有し、
前記複数のサブセンサーは、それぞれ前記指紋認証回路に接続され、それぞれ前記オールインワンスイッチに接続され、前記オールインワンスイッチは、前記タッチボタン回路に接続され、
前記指紋認証センサーは、前記オールインワンスイッチがオフ（ｏｆｆ）されると、前記複数のサブセンサーでの検出により生成される信号をそれぞれ前記指紋認証回路に伝送し、前記オールインワンスイッチがオン（ｏｎ）されると、前記オールインワンスイッチを介して前記複数のサブセンサーでの検出により生成される信号をタッチ信号に合併して前記タッチボタン回路に伝送するように構成され、
前記指紋認証回路は、前記複数のサブセンサーでの検出により生成される信号を処理するように構成され、
前記タッチボタン回路は、合併されたタッチ信号によってタッチ操作が生成されるかを判断するように構成される。
【誤訳訂正３】
【訂正対象書類名】明細書
【訂正対象項目名】００１４
【訂正方法】変更
【訂正の内容】
【００１４】
また、本発明の第３の態様によれば、オールインワンスイッチと複数のサブセンサーを含む指紋認証センサーとを有する端末機器に適用されるタッチボタン及び指紋認証を実現する方法が提供され、前記方法は、
前記端末機器のホストの命令によって前記オールインワンスイッチをオン・オフするステップと、
前記オールインワンスイッチがオフされると、複数のサブセンサーでの検出により生成される信号を処理するステップと、
前記オールインワンスイッチがオンされると、前記オールインワンスイッチを介して前記複数のサブセンサーでの検出により生成される信号をタッチ信号に合併し、合併されたタッチ信号によってタッチ操作が生成されるかを判断するステップと、を含む。
【誤訳訂正４】
【訂正対象書類名】明細書
【訂正対象項目名】００２０
【訂正方法】変更
【訂正の内容】
【００２０】
また、本発明の第４の態様によれば、タッチボタン及び指紋認証を実現する装置が提供され、前記装置は、
プロセッサーと、
前記プロセッサーによって実行可能な命令を記憶するメモリと、を有し、
前記プロセッサーは、
端末機器のホストの命令によってオールインワンスイッチをオン・オフし、
前記オールインワンスイッチがオフされると、複数のサブセンサーでの検出により生成される信号を処理し、
前記オールインワンスイッチがオンされると、前記オールインワンスイッチを介して前記複数のサブセンサーでの検出により生成される信号をタッチ信号に合併し、合併されたタッチ信号によってタッチ操作が生成されるかを判断するように構成される。
【誤訳訂正５】
【訂正対象書類名】明細書
【訂正対象項目名】００２９
【訂正方法】変更
【訂正の内容】
【００２９】
指紋認証センサー２１は、オールインワンスイッチ２３がオフされると、複数のサブセンサーでの検出により生成される信号を、それぞれ指紋認証回路２２に伝送し、オールインワンスイッチ２３がオンされると、複数のサブセンサーでの検出により生成される信号を、オールインワンスイッチ２３を介してタッチ信号に合併して、タッチ信号をタッチボタン回路２４に伝送する。
【誤訳訂正６】
【訂正対象書類名】明細書
【訂正対象項目名】００３４
【訂正方法】変更
【訂正の内容】
【００３４】
ドットマトリクス状であっても長方形のマトリックスであっても、いずれもサブセンサーの配列を介して指の指紋信号を指紋認証回路２２に伝送し、さらに信号のフィルタリング、増幅、ＡＤサンプリングなどの処理を経て、指紋チップ（ｃｈｉｐ）に十分なデジタル信号を提供する。サイズが小さく、信号量が少なく、応答面積が小さく、感度が低いという個々の指紋認証センサーの特性のため、サブセンサーの配列は、指のタッチの検出に十分な信号を提供することができず、通常の指のタッチ機能を実現することができない。従って、オールインワンスイッチ２３をオンして、オールインワンスイッチ２３を介して複数のサブセンサーでの検出により生成される信号をタッチ信号に合併してタッチボタン回路２４に伝送する。これによって、タッチボタン回路２４に十分な  エネルギーレベルを有する信号を提供することができる。
【誤訳訂正７】
【訂正対象書類名】明細書
【訂正対象項目名】００３８
【訂正方法】変更
【訂正の内容】
【００３８】
オールインワンスイッチ２３は、端末機器のホスト３１の命令によってオン・オフされ、指紋認証に応答する必要がある場合は、オールインワンスイッチ２３はオフされ、指紋認証回路２２は複数のサブセンサー３２の信号を取得して指紋認証機能を実現する。また、ホスト３１が指のタッチ機能に応答する場合は、オールインワンスイッチ２３はオンされ、サブセンサー３２のすべてが接続されて一つの大きなセンサーになり、タッチボタン回路２４は、大きなセンサーを介して指のタッチ信号を取得して、指のタッチ機能を完成する。上位レベルのホスト３１の需要に応じて、複数のサブセンサーは接続されて一つの大きなセンサーとなり、タッチボタン回路２４に十分に強い信号を提供することができ、同時に、指のタッチが要求する感度、応答面積、応答速度を保証することができる。
【誤訳訂正８】
【訂正対象書類名】明細書
【訂正対象項目名】００５１
【訂正方法】変更
【訂正の内容】
【００５１】
ステップＳ６０２：オールインワンスイッチがオフされると、複数のサブセンサーでの検出により生成される信号を処理する。
【誤訳訂正９】
【訂正対象書類名】明細書
【訂正対象項目名】００５９
【訂正方法】変更
【訂正の内容】
【００５９】
ステップＳ６０３：オールインワンスイッチがオンされると、オールインワンスイッチを介して複数のサブセンサーでの検出により生成される信号をタッチ信号に合併し、合併されたタッチ信号によってタッチ操作が生成されるかを判断する。
【誤訳訂正１０】
【訂正対象書類名】明細書
【訂正対象項目名】００６１
【訂正方法】変更
【訂正の内容】
【００６１】
例えば、オールインワンスイッチは端末機器のホストの命令によってオン・オフされ、指紋認証に応答する必要がある場合は、オールインワンスイッチはオフされ、複数のサブセンサーの信号を取得して指紋認証機能を完成する。また、ホストが指のタッチ機能に応答する場合は、オールインワンスイッチはオンされ、サブセンサーのすべてが接続されて一つの大きなセンサーになり、当該大きなセンサーを介して指のタッチ信号を取得して指のタッチ機能を完成する。上位レベルのホストの需要に応じて、複数のサブセンサーを接続して一つの大きなセンサーを構成し、十分に強い信号を提供してタッチ操作が生成されるかを判断することができ、指のタッチが要求する感度、応答面積、応答速度を保証することができる。
【誤訳訂正１１】
【訂正対象書類名】明細書
【訂正対象項目名】００７６
【訂正方法】変更
【訂正の内容】
【００７６】
タッチボタン及び指紋認証を実現する装置は、
プロセッサーと、
前記プロセッサーによって実行可能な命令を記憶するメモリと、を有し、
前記プロセッサーは、
端末機器のホストの命令によってオールインワンスイッチをオン・オフし、
前記オールインワンスイッチがオフされると、複数のサブセンサーでの検出により生成される信号を処理し、
前記オールインワンスイッチがオンされると、前記オールインワンスイッチを介して前記複数のサブセンサーでの検出により生成される信号をタッチ信号に合併し、合併されたタッチ信号によってタッチ操作が生成されるかを判断するように構成される。
【誤訳訂正１２】
【訂正対象書類名】明細書
【訂正対象項目名】００８１
【訂正方法】変更
【訂正の内容】
【００８１】
非一時的コンピュータ可読記録媒体は、前記記録媒体における命令がモバイル端末のプロセッサーにより実行されると、モバイル端末がタッチボタン及び指紋認証を実現する方法を実行するようにする。前記方法は、
前記端末機器のホストの命令によって前記オールインワンスイッチをオン・オフするステップと、
前記オールインワンスイッチがオフされると、複数のサブセンサーでの検出により生成される信号を処理するステップと、
前記オールインワンスイッチがオンされると、前記オールインワンスイッチを介して前記複数のサブセンサーでの検出により生成される信号をタッチ信号に合併し、合併されたタッチ信号によってタッチ操作が生成されるかを判断するステップと、を含む。
【誤訳訂正１３】
【訂正対象書類名】図面
【訂正対象項目名】図２
【訂正方法】変更
【訂正の内容】
【図２】
2017506403.tif 000001